(57)【要約】【課題】  コントラスト検出方式によって得られたレンズ位置を補正して正確な合焦点を得ることができる自動合焦装置、撮像装置及び合焦位置検出方法を提供すること。【解決手段】  本発明にかかる自動合焦装置は、撮像を所定位置に結像するための合焦用レンズ１０１ａを含む光学レンズ１０１と、合焦用レンズ１０１ａを移動させるレンズ駆動手段１１０と、光学レンズ１０１によって結像される撮像を光電変換して画像信号を出力する撮像素子１０２と、撮像素子１０２の電荷蓄積時間を調節する電子シャッタ１０３とを有している。本発明にかかる自動合焦装置は、合焦用レンズ１０１ａを移動させながら画像信号の高周波成分を検出し、高周波成分が最大となる合焦位置を求め、さらに、撮像素子１０２の電荷蓄積時間に基づいて、先に検出した合焦位置に対する補正量を算出する。【選択図】  図１
2006011035.tif 000002
【特許請求の範囲】
【請求項１】
撮像の結像位置を調整するための合焦用レンズを含む光学レンズ系と、
前記合焦用レンズを移動させる駆動手段と、
前記光学レンズ系によって結像される撮像を光電変換して画像信号を出力する撮像素子と、
前記撮像素子の電荷蓄積時間を調節する電子シャッタ手段と、
前記合焦用レンズを移動させながら前記画像信号の高周波成分を検出し、前記高周波成分が最大となる合焦位置を検出する第1の手段と、
前記撮像素子の電荷蓄積時間に基づいて、前記第1の手段で検出した合焦位置に対する補正量を算出する第２の手段と、
を有する自動合焦装置。
【請求項２】
前記第２の手段は、前記電荷蓄積時間に加えて、前記合焦用レンズの移動速度情報と、前記撮像素子の種別情報に基づいて、前記第1の手段で検出した合焦位置に対する補正量を算出する、請求項１に記載の自動合焦装置。
【請求項３】
前記撮像素子はＣＭＯＳイメージセンサであり、
前記第２の手段は、さらに、前記画像信号上の高周波成分の抽出範囲を操作するために必要な画枠ゲート時間に基づいて、前記第1の手段で検出した合焦位置に対する補正量を算出する、請求項１又は２に記載の自動合焦装置。
【請求項４】
前記第２の手段は、撮像素子からの電荷読み出し周期にさらに基づいて、前記第1の手段で検出した合焦レンズ位置に対する補正量を算出する、請求項１乃至３のいずれかに記載の自動合焦装置。
【請求項５】
請求項１乃至４のいずれかに記載の自動合焦装置を備えたことを特徴とする撮像装置。
【請求項６】
光学レンズを通して撮像素子に結像する被写体の画像信号から高周波成分を検出し、検出した高周波成分が最大となるよう前記光学レンズの位置を移動させて合焦を行う合焦位置検出方法であって、
前記光学レンズを移動させながら前記画像信号の高周波成分を検出し、前記高周波成分が最大となる合焦位置を検出する第1のステップと、
前記撮像素子の電荷蓄積時間に基づいて、前記第1の手段で検出した合焦位置に対する補正量を算出する第２のステップと、
前記第２のステップ算出した補正量によって補正された合焦位置に、前記光学レンズを移動する第３のステップと、
を含む合焦位置検出方法。
【発明の詳細な説明】
【技術分野】
【０００１】
本発明は、画像信号のコントラストを検出してレンズの合焦位置を決定する自動合焦装置及び合焦位置検出方法に関する。
【背景技術】
【０００２】
デジタルビデオカメラ等においてピント合わせを行う自動合焦装置では、赤外線等を用いた測距手段を利用するアクティブ方式又はレンズを通して撮影された撮像信号を用いたパッシブ方式が用いられてきたが、現在では、小型化、マクロ撮影等の特徴を有するパッシブ方式が大勢を占めるに至っている。
【０００３】
パッシブ方式の一つに、レンズによって撮像素子に結像して得られた撮像信号中の高周波成分、つまりコントラストが最大となるようレンズ位置を移動させることにより、合焦点を得るコントラスト検出方式がある。このコントラスト検出方式は測距手段が不要で構成が簡易であるため低コスト化、小型化に適しており、自動合焦装置での制御方式として広く採用されている。
【０００４】
コントラスト検出方式では、いかに精度良く高速に合焦点を検出してピント合わせを行うかが性能競争における課題となっている。このため、従来から、撮像信号の高周波成分の特性に基づいて高周波成分の最大点である合焦点を予測することによって、合焦動作の高速化を図る技術が提案されている（例えば特許文献１乃至３を参照）。
【特許文献１】特開昭６２−２０３４８５号公報
【特許文献２】特開昭６２−２０８０１２号公報
【特許文献３】特許第２９１２６４９号公報
【発明の開示】
【発明が解決しようとする課題】
【０００５】
一方、このような自動合焦装置を搭載したデジタルビデオカメラやデジタルスチルカメラにおいては、更なる小型化を図るため、イメージセンサのサイズ縮小化やレンズの短小化が行われている。その小型化を図る方法の一つとして、レンズ構造の簡略化や超小型化を狙って、従来から露光制御のために使用されてきた絞り機構に代わり、撮像素子の電子シャッタ機能を用いて露光制御を行うものがある。この方式では、絞り機構が不要或いは簡便になるため小型のカメラブロックの製作が容易となる利点がある。
【０００６】
しかしながら、電子シャッタを用いた露光制御を行うことにより、従来配慮されていなかった問題が生じてきた。具体的には、被写体像の高周波成分の山頂位置（最大点）を検出するために合焦用レンズを移動させる場合において、撮像素子での被写体像の露出時刻と高周波成分の検出時刻の時間差が生じ、さらにシャッタスピードによってその時間差が変化するため、レンズ移動中に検出した高周波成分の山頂位置が正確な合焦点からずれて検出され、ピント合わせの精度が低下するという問題である。
【０００７】
このような現象は、撮像素子の種類に依らず、例えばＣＣＤセンサやＣＭＯＳセンサでも生じる。更に撮像素子の種類が異なると、シャッタスピードを得るための露出方式が異なるため、ピントずれの補正は、それぞれ別途配慮する必要がある。
【０００８】
本発明は、上述の事情を考慮してなされたものであり、本発明の目的は、コントラスト検出方式によって得られたレンズ位置を補正して正確な合焦点を得ることができる自動合焦装置及び合焦位置検出方法を提供することである。
【課題を解決するための手段】
【０００９】
本発明にかかる自動合焦装置は、撮像の結像位置を調整するための合焦用レンズを含む光学レンズ系と、前記合焦用レンズを移動させる駆動手段と、前記光学レンズ系によって結像される撮像を光電変換して画像信号を出力する撮像素子と、前記撮像素子の電荷蓄積時間を調節する電子シャッタ手段と、前記合焦用レンズを移動させながら前記画像信号の高周波成分を検出し、前記高周波成分が最大となる合焦位置を検出する第1の手段と、前記撮像素子の電荷蓄積時間に基づいて、前記第1の手段で検出した合焦位置に対する補正量を算出する第２の手段とを有するものである。これにより、正しい合焦位置に合焦用レンズを移動することができるため、正確な合焦点を得ることができる。
【００１０】
また、前記第２の手段は、前記電荷蓄積時間に加えて、前記合焦用レンズの移動速度情報と、前記撮像素子の種別情報に基づいて、前記第1の手段で検出した合焦位置に対する補正量を算出することとしてもよい。これにより、撮像素子の種類に応じた補正量を算出することができる。
【００１１】
なお、前記撮像素子がＣＭＯＳイメージセンサである場合は、前記第２の手段は、さらに、前記画像信号上の高周波成分の抽出範囲を操作するために必要な画枠ゲート時間に基づいて、前記第1の手段で検出した合焦位置に対する補正量を算出することが望ましい。これにより、画枠ゲート時間の変動の影響を補正することができ、より正確に合焦点を得ることができる。
【００１２】
さらに、前記第２の手段は、撮像素子からの電荷読み出し周期にさらに基づいて、前記第1の手段で検出した合焦レンズ位置に対する補正量を算出することとしてもよい。これにより、電荷読み出し周期、つまりフレームレートが変化する場合にも、正確に合焦点を得ることができる。
【００１３】
また、本発明にかかる撮像装置は、上述の自動合焦装置を備えたことを特徴とするものである。
【００１４】
さらに本発明にかかる合焦位置検出方法は、光学レンズを通して撮像素子に結像する被写体の画像信号から高周波成分を検出し、検出した高周波成分が最大となるよう前記光学レンズの位置を移動させて合焦を行う合焦位置検出方法であって、前記光学レンズを移動させながら前記画像信号の高周波成分を検出し、前記高周波成分が最大となる合焦位置を検出する第1のステップと、前記撮像素子の電荷蓄積時間に基づいて、前記第1の手段で検出した合焦位置に対する補正量を算出する第２のステップと、前記第２のステップ算出した補正量によって補正された合焦位置に、前記光学レンズを移動する第３のステップとを含むものである。
【発明の効果】
【００１５】
本発明により、コントラスト検出方式によって得られたレンズ位置を補正して正確な合焦点を得ることができる自動合焦装置、撮像装置及び合焦位置検出方法を提供することができる。
【発明を実施するための最良の形態】
【００１６】
発明の実施の形態１．
図１は、本発明の実施の形態にかかる自動合焦装置の構成図である。レンズ１０１は、被写体の像を撮像素子１０２に結像させるための光学レンズである。後述する合焦制御回路１０７によって制御されるレンズ駆動手段１１０により、レンズ１０１に含まれる合焦用レンズ１０１ａの位置を光軸方向に移動させてピント合わせを行う。撮像素子１０２は、レンズ１０１を介して入射した光信号を電気信号に変換するセンサであり、例えばＣＣＤセンサあるいはＣＭＯＳセンサである。
【００１７】
電子シャッタ１０３は、撮像素子１０２に対して電荷蓄積時間、つまりシャッタスピードを決定するためのタイミング信号を与える手段である。具体的には、撮像素子に蓄積された電荷をリセットするタイミング信号と撮像素子１０２に蓄積された電荷の読み出すタイミング信号を与えることによって、電荷蓄積時間を電子的に制御する。
【００１８】
信号処理回路１０４は、撮像素子１０２で得られた撮像信号をデジタル画像信号に変換する。１０４ａは画像処理回路１０４からの画像信号出力端子である。自動合焦回路１０５は、画像信号の高周波成分を抽出してコントラストが高くなるよう、レンズ１０１に含まれる合焦用レンズ１０１ａの位置を移動させることにより、合焦動作を行う。
【００１９】
自動合焦回路１０５は、図１に示すように高域フィルタ１０６、検波回路１０７、合焦制御回路１０８、補正量算出手段１０９を含んでいる。ここで高域フィルタ１０６は、撮像素子１０２で得られた画像信号から高周波成分を取り出すフィルタであり、ハイパスフィルタ又は高域のバンドパスフィルタである。検波回路１０７は、高域フィルタ１０６を通して得た高周波成分を検波し、さらに検波した信号を積分して高周波成分量を算出する回路であり、得られた積分値（高周波成分量）を自動合焦用信号（以下、ＡＦ用信号）として合焦制御回路１０８に出力する。
【００２０】
合焦制御回路１０８は、ＡＦ用信号が最大となるようレンズ駆動手段１０９により合焦用レンズ１０１ａの位置を移動して自動合焦動作を実行する回路である。なお、レンズ駆動手段１０９は、レンズ位置を移動させるステッピングモータである。
【００２１】
補正量算出手段１０９は、電子シャッタ１０３が撮像素子１０２に指示するシャッタスピードを示す信号Ｓ１と合焦制御回路１０８が出力するレンズ移動速度を示す信号Ｓ２を元に、後述する演算を行うことにより、合焦制御回路１０８で得た合焦点のレンズ位置に対するレンズ位置補正量の算出を行う。算出したレンズ位置補正量は合焦制御回路１０８に入力される。合焦制御回路１０８は、レンズ駆動手段１１０に対して、レンズ位置補正量を反映した位置に合焦用レンズ１０１ａを移動するよう指示する。
【００２２】
撮像素子１０２において撮像を得てからＡＦ用信号を得るまでに遅延時間がある。この遅延時間の間も合焦用レンズ１０１ａの移動は行われるため、正確な合焦点を得るためには、ＡＦ用信号から合焦点となるレンズ位置を得た後に、遅延時間の間のレンズ移動量を補正する必要がある。
【００２３】
次に、補正量算出手段１０９におけるレンズ位置補正量の算出方法について、図２乃至図４を用いて説明する。図２は、撮像素子１０２がＣＣＤイメージセンサである場合について、電荷の蓄積・読み出しのタイミングを示した図である。図３は、撮像素子１０２がＣＭＯＳイメージセンサである場合について、図２と同様に電荷の蓄積・読み出しのタイミングを示した図である。図４は、正確な合焦点からのレンズ位置のずれとシャッタスピードの関係を示した図である。
【００２４】
まず、撮像素子１０２がインターライン・トランスファ方式のＣＣＤイメージセンサである場合の例を、図２を用いて説明する。図２において、（ａ）リセットパルスは、ＣＣＤイメージセンサに蓄積された電荷を放電させるタイミングを指示するものである。リセットパルスは電子シャッタ１０３から撮像素子１０２（図２の例ではＣＣＤイメージセンサ）に入力される。
【００２５】
図２の（ｂ）トランスファパルスは、ＣＣＤイメージセンサ内のフォトダイオードに蓄積された電荷を、隣接する垂直ＣＣＤに転送するタイミングを指示するものである。リセットパルスからトランスファパルスまでの間が“電荷蓄積時間（図ではＳｄ）”となる。なお、電荷蓄積時間Ｓｄは、シャッタスピードと同じ意味である。
【００２６】
図２の（ｃ）ＡＦ用信号取り込みタイミングは、撮像素子１０２（ＣＣＤイメージセンサ）で得られた画像信号から、高周波成分を抽出してＡＦ信号として得るタイミングを示している。ここで、トランスファパルスによってＣＣＤイメージセンサでの電荷蓄積が終了してからＡＦ用信号が得られるまでの時間を“読み出し遅れ時間（図ではＤｄ）”とする。
【００２７】
図２の（ｄ）シャッタスピードは、リセットパルスからトランスファパルスまでの間の電荷蓄積時間を模式的に示したものである。
【００２８】
以上から、図２の場合において、黒三角で示した電荷蓄積時間の中間点からＡＦ用信号が得られるまでの遅延時間Ｖｄｄは、
Ｖｄｄ＝Ｓｄ／２＋Ｄｄ  ・・・（１）
となる。このように撮像素子１０２がＣＣＤイメージセンサである場合の遅延時間Ｖｄｄは、電荷蓄積時間Ｓｄ及び読み出し遅れ時間Ｄｄによって決まることが分かる。したがって、電荷蓄積時間Ｓｄ、つまりシャッタスピードが変化すると遅延時間Ｖｄｄが変化することになる。
【００２９】
次に、コントラスト検出方式によって合焦動作を行う際に、遅延時間Ｖｄｄによって生じる合焦点の誤差と、その誤差を補正する方法について、図４を用いて説明する。図４の横軸は、レンズ１０１の位置、具体的にはレンズ１０１に含まれる合焦用レンズ１０１ａの位置を示している。縦軸は、ＡＦ用信号である画像信号中の高周波成分量である。図中のＶｆ１は、撮像素子１０２の電荷蓄積が終了してＡＦ用信号として高周波成分を得るまで、合焦用レンズ１０１ａの位置が移動しないと仮定した場合に、レンズ位置と高周波成分の関係を示したグラフである。Ｖｆ１において高周波成分が最大（ｍａｘ）となるレンズ位置Ｌ１が正確な合焦点となる。
【００３０】
一方、実際の合焦動作では、撮像素子１０２の電荷蓄積が終了してＡＦ用信号として高周波成分を得るまでの間にも、合焦用レンズ１０１ａの位置が移動し、ＡＦ用信号を得る時点でレンズ位置を合わせて取り込むと、レンズ位置がずれた状態となってしまう。図４中のＶｆ２は、レンズ位置がずれた場合を示している。Ｖｆ２において、高周波成分が最大となるレンズ位置Ｌ２と、正確な合焦位置Ｌ１とのずれは、上述の（１）式で示した遅延時間Ｖｄｄに起因するものである。このため、電荷蓄積時間Ｓｄが長い、つまりシャッタスピードが遅いほど、正確な合焦点からのレンズ位置のずれは大きくなる。図４中のＶｆ３は、Ｖｆ２に比べてシャッタスピードが遅い場合の例を示しており、この場合は、さらにレンズ位置のずれが大きくなってしまう。
【００３１】
したがって、正確な合焦位置Ｌ１にレンズ位置を補正するためには、合焦位置Ｌ１からのレンズ位置のずれの大きさを求めて、その大きさ分だけレンズ位置を補正してやればよい。
【００３２】
本発明では、補正量算出手段１０９において、（１）式で示される遅延時間Ｖｄｄと合焦用レンズ１０１ａの移動速度から、遅延時間Ｖｄｄの間の合焦用レンズ１０１ａの移動量を求め、合焦制御回路１０８が、補正量算出手段１０９において算出された移動量を元に合焦点レンズ位置を補正することによって、シャッタスピードが変化した場合でも正確な合焦点を得ることができる。
【００３３】
続いて、撮像素子１０２がＣＭＯＳイメージセンサである場合の例を、図３を用いて説明する。図３において、（ａ）リセットパルスは、ＣＭＯＳイメージセンサに蓄積された電荷を放電させるタイミングを指示するものである。リセットパルスは電子シャッタ１０３から撮像素子１０２（図３の例ではＣＭＯＳイメージセンサ）に入力される。なお、図３でのリセットパルスの位置は、一例として、後述する画枠ゲートの先頭位置、つまり画枠ゲート内で最初に走査される画素に対して電荷蓄積を開始させるタイミングを示している。
【００３４】
図３の（ｂ）垂直選択パルスは、フォトダイオードに蓄積された電荷の読み出しを行うタイミングを示している。なお、図３では、垂直選択パルスの位置は、リセットパルスと同様に画枠ゲートの先頭位置を走査するタイミングを示している。リセットパルスから垂直選択パルスまでの間が“電荷蓄積時間（図ではＳｍ）”となる。
【００３５】
図３の（ｃ）画枠ゲートは、画像信号上でＡＦ用信号の対象とする範囲を絞るために設定するものである。つまり、図３（ｄ）センサ出力で示す１フレーム分の走査に要する時間のうち、図３（ｃ）の画枠ゲートの時間内で走査される画像範囲がＡＦ用信号の対象範囲となる。なお、ＣＭＯＳイメージセンサでは、画枠ゲート内を順次走査して電荷を読み出す際に走査線ごとに蓄積時間のずれが生じるため、画枠ゲート内を走査し終えるまでに、有限の時間を要する。この時間が図中の画枠ゲート時間Ｇｍである。
【００３６】
図３の（ｅ）ＡＦ用信号取り込みタイミングは、撮像素子１０２（ＣＭＯＳイメージセンサ）で得られた画像信号から、高周波成分を抽出してＡＦ信号として得るタイミングを示している。ここで、Ｄｍは、画枠ゲートが閉じてからＡＦ用信号が得られるまでの“読み出し遅れ時間”であり、図２のＣＣＤイメージセンサの場合におけるＤｄに対応するものである。
【００３７】
図３の（ｆ）シャッタスピードは、リセットパルスから垂直選択パルスまでの間の電荷蓄積時間を模式的に示したものである。また、画枠ゲート時間Ｇｍは、ＡＦ用信号の対象とする画像信号範囲を指定する画枠ゲート内を全て走査するために必要となる時間である。ＣＭＯＳイメージセンサでは垂直方向に順次操作して電荷を読み出す際に走査線ごとに蓄積時間のずれが生じるため、画枠ゲート時間Ｇｍが発生する。
【００３８】
ＣＭＯＳイメージセンサの場合に、図２で説明したＶｄｄに相当する遅延時間Ｖｄｍは、
Ｖｄｍ＝（Ｓｍ＋Ｇｍ）／２＋Ｄｍ  ・・・（２）
で表される。このように撮像素子１０２がＣＭＯＳイメージセンサである場合の遅延時間Ｖｄｍは、電荷蓄積時間Ｓｄ、画枠ゲート時間Ｇｍ及び読み出し遅れ時間Ｄｍによって決まることが分かる。したがって、ＣＭＯＳイメージセンサの場合は、電荷蓄積時間Ｓｍだけでなく、ＡＦ用信号の範囲、つまり画像信号上でピント合わせを行う範囲が変化すると画枠ゲート時間Ｇｍが変動して、結果的に遅延時間Ｖｄｍも変化することになる。
【００３９】
本発明では、補正量算出手段１０９において、（２）式で示される遅延時間Ｖｄｍと合焦用レンズ１０１ａの移動速度から、遅延時間Ｖｄｍの間に合焦用レンズ１０１ａが移動した量を求め、合焦制御回路１０８が、補正量算出手段１０９において算出された移動量を元に合焦点レンズ位置を補正することによって、正確な合焦点を得ることができる。
【００４０】
なお、シャッタスピードだけでなく、撮像素子１０２から画像を読み出す際のフレームレートが変化した場合にも電荷蓄積時間が変化によって、上述した遅延時間Ｖｄｄ又はＶｄｍに相当する時間が変動する。
【００４１】
例えば、デジタルスチルカメラ等の液晶モニタ等にカメラアングルの決定等に使用するために動画像を表示する場合には、デジタルビデオカメラの場合と異なり、一定のフィールド周期で画像再生を行う必要はなく、画像が暗ければ電荷蓄積時間を長くするために、フレームレートを低下させることが行われる。このように、フレームレートが変化する場合について図５を用いて説明する。
【００４２】
図５の（ａ）乃至（ｅ）のパルス波形は、垂直選択パルスを示している。図の（ｄ）を除いて、パルス間隔が撮像素子における電荷蓄積時間に相当する。（ｄ）は、リセットパルスによる放電が行われて、電荷蓄積時間が短い場合に相当する。また、パルス波形の下に示した台形は、図３のそれと同様に、撮像素子に対する電荷蓄積時間を模式的に示したものである。
【００４３】
図５の（ａ）は、デジタルビデオカメラにおける動画像の蓄積・読み出しの例を示すものであり、ＮＴＳＣ方式の場合は、インタレーススキャンによって１秒当たり６０フィールドの周期で画像が出力される。２フィールドで１フレームの画像となるが、読み出し周期を高めることで動画の解像度を高めている。
【００４４】
これに対して、デジタルスチルカメラでは通常、プログレッシブスキャンを行っており、１フレームの画像を一回で読み出すことが多い。図５の（ｂ）はこの場合を示しており、ＶＧＡ等の画素数が比較的少ない場合は、３０フレーム／秒程度が一般的である。この画像を、カメラの液晶モニタ等に表示させてカメラアングルの操作を行っている。
【００４５】
上述のように、デジタルスチルカメラでは、動画への対応はそれほど配慮する必要がないため、被写体の照度が低下して撮像信号レベルが低下するような場合には、フレームレートを低下させて電荷蓄積時間を増加させることが行われる。例えば図５の（ｃ）にはフレームレートを１５フレーム／秒に低下させた場合を示している。なお、図では、フレームレートが変更されても、読み出しレートは一定の場合を示している。もちろん、フレームレートの変更に応じて読み出しレートを変更することとしてもかまわない。図５の（ｄ）は、電子シャッタ１０３によるリセットパルスによって、電荷蓄積時間を短くした場合であり、図５の（ｅ）は、さらにフレームレートを低下させ、７．５フレーム／秒とした場合を示している。
【００４６】
図５中の黒三角は、それぞれの電荷蓄積時間の中間点を示しており、白三角はＡＦ用信号取り込みタイミングを示している。このように、フレームレートが変化することによって電荷蓄積時間が変化すると、電荷蓄積時間の中間点も変化する。この結果、図２及び図３を用いて説明した、電荷蓄積時間の中間点からＡＦ用信号として取り込まれるまでの遅延時間が、フレームレートによって変化することになる。しかしながら、この場合においても上述した遅延時間ＶｄｍまたはＶｄｄを算出し、レンズ位置の補正を行うことにより、正確な合焦位置にレンズを移動させることができるため、合焦動作を精度よく実施することができる。
【００４７】
発明の実施の形態２．
図６は、本発明の実施の形態にかかる自動合焦装置の構成図である。図１に示した発明の実施の形態１にかかる構成と同一の機能を有する部分は、図１と同一の記号を付して説明を省略する。図６において、補正量算出手段２０９は、電子シャッタ１０３が撮像素子１０２に指示するシャッタスピードを示す信号Ｓ１と合焦制御回路１０８が出力するレンズ移動速度を示す信号Ｓ２に加えて、フレームレート情報を示す信号Ｓ３、イメージセンサ種別を示す信号Ｓ４の入力を元に、合焦制御回路１０８で得た合焦点のレンズ位置に対するレンズ位置補正量の算出を行う。なお、レンズ位置補正量の算出方法は、発明の実施の形態１で説明したものと同様であるため、詳細な説明は省略するが、フレームレート情報の入力を元に電荷蓄積時間Ｓｄ又はＳｍを算出することとすればよいし、イメージセンサ種別の入力を元に上述の（１）式又は（２）式を選択するようにすればよい。
【００４８】
算出したレンズ位置補正量は、発明の実施の形態１で説明した自動合焦装置と同様に、合焦制御回路１０８に送信され、レンズ位置補正量を反映した位置に合焦用レンズ１０１ａを移動するよう、合焦制御回路１０８によってレンズ駆動手段１１０に指示される。
【００４９】
なお、図６に示した構成では、補正量算出手段１０９が、シャッタスピード、フレームレート及びイメージセンサ種別を電子シャッタ１０３から得て、レンズ移動速度を合焦制御回路１０８から得ているが、これらの情報を有する他の部分、例えば、信号処理回路１０３がこれらの情報を有している場合は信号処理回路１０３から得てもよい。本発明は、これらの情報に基づいてレンズ位置の補正を行うものであり、これらの情報の出所に関しては限定されるものでないことは言うまでもない。
【００５０】
発明の実施の形態３．
発明の実施の形態１で説明した自動合焦装置を備えたことを特徴とする本実施の形態にかかる撮像装置の構成を、図７を用いて説明する。なお、本発明にかかる自動合焦装置を備えた撮像装置は様々な形態が考えられる。図７の構成はその一例を示したものである。
【００５１】
図中のＣＰＵ６０１は、撮像装置全体の制御を行うコントローラである。具体的には、撮影、記録媒体ＩＦ（インタフェース）６０６を介した記録媒体６０７への画像データの保存、操作スイッチ６０４を介した操作者による操作の受け付け、及び液晶モニタ６０５への表示等の通常の撮像装置で行われる処理の制御に加えて、上述した合焦制御、補正量算出、及び合焦用レンズ１０１ａの駆動といった本発明にかかる制御を実施する。なお、ＣＰＵ６０１における制御は、ＲＯＭ６０２に格納された制御プログラムをＲＡＭ６０３にロードして実行することによって行うこととすればよい。また、ＲＡＭ６０３は、ＣＰＵ６０１が上述の制御を行う際の作業領域としても使用される。
【００５２】
図７のその他の部分は、図１において示した発明の実施の形態１にかかる自動合焦装置と同一の機能を有しているため説明を省略する。また、レンズ位置を補正して正確な合焦位置を得る原理及び方法は、発明の実施の形態１で示したものと同様であるため説明を省略する。
【図面の簡単な説明】
【００５３】
【図１】発明の実施の形態１にかかる自動合焦装置の構成図である。
【図２】撮像素子で得られた画像から高周波成分を取得する動作を説明するためのタイミングチャートである。
【図３】撮像素子で得られた画像から高周波成分を取得する動作を説明するためのタイミングチャートである。
【図４】レンズ位置のずれとシャッタスピードの関係を示す図である。
【図５】フレームレートの違いによる電荷蓄積時間の変化を示す図である。
【図６】発明の実施の形態２にかかる自動合焦装置の構成図である。
【図７】発明の実施の形態３にかかる撮像装置の構成図である。
【符号の説明】
【００５４】
１０１  レンズ、１０１ａ  合焦用レンズ、１０２  撮像素子、１０３  電子シャッタ、１０４  信号処理回路、１０５自動合焦回路、１０８  合焦制御回路、１０９  補正量算出手段、１１０  レンズ駆動手段
【図１】
2006011035.tif 000003
【図２】
2006011035.tif 000004
【図３】
2006011035.tif 000005
【図４】
2006011035.tif 000006
【図５】
2006011035.tif 000007
【図６】
2006011035.tif 000008
【図７】
2006011035.tif 000009